(57)【要約】      （修正有）【課題】付加価値の高い照明装置および照明システムを提供する。【解決手段】照明装置１は、取付部１１０と、筐体１２０と、本体部１３０と、基板１３１と、照明用光源１４１と、カバー６０と、プロジェクタ７０と、反射部材１７０とを具備する。照明装置１が、間接光源１４２と、間接光源１４２を設置する間接光源用基板１３３を有する場合、間接光源１４２は、筐体１２０の外面に設けられ、天井９０に向けて発光する光源であり、間接光源用基板１３３は、間接光源１４２が設置される基板である。プロジェクタ７０は、照明用光源１４１側からカバー６０に映像を投映する。【選択図】図３
2020027794.tif 000002
【特許請求の範囲】
【請求項１】
照明用光源を有する光源部と；
前記照明用光源を出射面側から覆うカバーと；
前記照明用光源側から前記カバーに映像を投映するプロジェクタと；
を具備する照明装置。
【請求項２】
前記プロジェクタの映像光路に設けられ、前記プロジェクタから出力された映像を拡散するレンズ部材；
を具備し、
前記レンズ部材は、前記カバーの前面のうち、５０％以上の領域に前記映像を投映させる
請求項１に記載の照明装置。
【請求項３】
前記プロジェクタは、前記照明用光源が配置される筐体内に収容される
請求項１または２に記載の照明装置。
【請求項４】
前記光源部は、複数の白色光源が配列された白色光源列を有する
請求項１〜３のいずれか１つに記載の照明装置。
【請求項５】
前記光源部は、複数の原色光源が配列された原色光源列を有する
請求項１〜４のいずれか１つに記載の照明装置。
【請求項６】
前記原色光源列は、複数の光源列のうち、最も外側に配置される
請求項５に記載の照明装置。
【請求項７】
前記レンズ部材は、前記プロジェクタに取り付けられた魚眼レンズまたは広角レンズを含む
請求項２に記載の照明装置。
【請求項８】
前記カバーは、全光線透過率が３０％以上８０％以下の透光性の部材で形成される
請求項１〜７のいずれか１つに記載の照明装置。
【請求項９】
ユーザの動作情報を検出する検出部と；
前記検出部により検出された前記動作情報に基づいて前記光源部および前記プロジェクタのうち一方または両方を制御する制御部と；
を具備する請求項１〜８のいずれか１つに記載の照明装置。
【請求項１０】
ユーザの動作情報を検出する検出装置と；
前記検出装置により検出された前記動作情報に基づいて前記光源部および前記プロジェクタのうち一方または両方を制御する請求項１〜８のいずれか１つに記載の照明装置と；
を具備する照明システム。
【発明の詳細な説明】
【技術分野】
【０００１】
本発明の実施形態は、照明装置および照明システムに関する。
【背景技術】
【０００２】
一般住宅用の照明器具においては、主光源に環状に配置したＬＥＤを用い、この環状のＬＥＤの下方側を覆うように透光性のカバー（セード）を設けて、外観形状を丸形に構成するものが普及している。
【先行技術文献】
【特許文献】
【０００３】
【特許文献１】特開２０１７−１７４８３３号公報
【発明の概要】
【発明が解決しようとする課題】
【０００４】
しかしながら、従来の照明装置は、付加価値の高い照明装置を提供するうえで改善の余地があった。例えば、従来の照明装置は、照明する機能のみを有しており、照明と他の機能とを組み合わせて提供する照明装置については、考慮されていなかった。
【０００５】
本発明が解決しようとする課題は、付加価値の高い照明装置および照明システムを提供することである。
【課題を解決するための手段】
【０００６】
実施形態に係る照明装置は、光源部と、カバーと、プロジェクタとを具備する。光源部は、照明用光源を有する。カバーは、照明用光源を出射面側から覆う。プロジェクタは、照明用光源側からカバーに映像を投映する。
【発明の効果】
【０００７】
本発明によれば、付加価値の高い照明装置および照明システムを提供することができる。
【図面の簡単な説明】
【０００８】
【図１】図１は、第１の実施形態に係る照明装置の概要を示す図である。
【図２】図２は、第１の実施形態に係る動作モードの具体例を示す図である。
【図３】図３は、第１の実施形態に係る照明装置の断面模式図である。
【図４】図４は、第１の実施形態に係る照明装置の接続関係を示す模式図である。
【図５】図５は、第１の実施形態の変形例１に係る照明装置の断面模式図である。
【図６】図６は、第１の実施形態の変形例２に係る照明装置の断面模式図である。
【図７】図７は、第１の実施形態の変形例３に係る照明装置の断面模式図である。
【図８】図８は、第２の実施形態に係る照明装置の断面模式図である。
【図９】図９は、第２の実施形態の変形例に係る照明装置の断面模式図である。
【図１０】図１０は、第３の実施形態に係る照明装置の断面模式図である。
【図１１】図１１は、評価試験用投映画像の一例を示す模式図である。
【図１２】図１２は、評価指標とスコアとの関係を示す図である。
【図１３】図１３は、カバーの全光線透過率とスコアとの関係を示す図である。
【図１４】図１４は、カバーの全光線透過率とスコアとの関係を示す図である。
【図１５】図１５は、実施形態に係る照明システムの概要を示す図である。
【発明を実施するための形態】
【０００９】
以下に説明する実施形態に係る照明装置は、光源部と、カバーと、プロジェクタとを具備する。光源部は、照明用光源を有する。カバーは、照明用光源を出射面側から覆う。プロジェクタは、照明用光源側からカバーに映像を投映する。
【００１０】
また、以下に説明する実施形態に係る照明装置は、レンズ部材を具備する。レンズ部材は、プロジェクタの映像光路に設けられ、プロジェクタから出力された映像を拡散する。レンズ部材は、カバーの前面のうち、５０％以上の領域に前記映像を投映させる。
【００１１】
また、以下に説明する実施形態に係るプロジェクタは、照明用光源が配置される筐体内に収容される。
【００１２】
また、以下に説明する実施形態に係る光源部は、複数の白色光源が配列された白色光源列を有する。
【００１３】
また、以下に説明する実施形態に係る光源部は、複数の原色光源が配列された原色光源列を有する。
【００１４】
また、以下に説明する実施形態に係る原色光源列は、複数の光源列のうち、最も外側に配置される。
【００１５】
また、以下に説明する実施形態に係るレンズ部材は、プロジェクタに取り付けられた魚眼レンズまたは広角レンズを含む。
【００１６】
また、以下に説明する実施形態に係るカバーは、全光線透過率が３０％以上８０％以下の透光性の部材で形成される。
【００１７】
また、以下に説明する実施形態に係る照明装置は、検出部と制御部とを具備する。検出部は、ユーザの動作情報を検出する。制御部は、検出部により検出された動作情報に基づいて光源部およびプロジェクタのうち一方または両方を制御する。
【００１８】
また、以下に説明する実施形態に係る照明システムは、検出装置と照明装置とを具備する。検出装置は、ユーザの動作情報を検出する。照明システムは、検出装置により検出された動作情報に基づいて光源部およびプロジェクタのうち一方または両方を制御する。
【００１９】
以下、図面を参照して、実施形態に係る照明装置について説明する。実施形態において同一の部位には同一の符号を付し、重複する説明は省略する場合がある。
【００２０】
［第１の実施形態］
まず、図１を用いて第１の実施形態に係る照明装置の概要について説明する。図１は、実施形態に係る照明装置の概要を示す図である。図１に示すように、照明装置１は、天井９０に取り付けられるいわゆるシーリングライトである。なお、以下の説明において、ある部材または部位を基準として天井９０から遠ざかる方向を「前面側」、天井９０に近づく方向を「背面側」と称する場合がある。
【００２１】
また、図１に示すように、第１の実施形態に係る照明装置１は、照明装置１本体を覆うカバー６０に映像を投映することが可能な照明装置である。より具体的には、照明装置１は、後述するように、映像を投映するプロジェクタ７０を有し、プロジェクタ７０から出力された映像がカバー６０の内面に投映される。すなわち、実施形態に係る照明装置１において、カバー６０はスクリーンとしても機能する。
【００２２】
これにより、ユーザは、寝転んだ姿勢で照明装置１に投映された映像を視認することが可能となる。例えば、照明装置１を病床に導入する場合、患者はベッドに寝転んだ姿勢で、照明装置１に投映された映像を視認することが可能となる。
【００２３】
このように、第１の実施形態に係る照明装置１では、室内を照明する照明機能に加え、映像を投映する投映機能を有する。したがって、第１の実施形態に係る照明装置１によれば、付加価値の高い照明装置を提供することが可能となる。また、第１の実施形態に係る照明装置１では、映像を投映するための壁やスクリーンが不要となるので、設置位置の制約を少なくすることが可能となり、使用範囲や用途の限定を抑制することが可能となる。
【００２４】
次に、図２を用いて照明装置１の動作モードについて説明する。図２は、第１の実施形態に係る動作モードの具体例を示す図である。図２に示すように、照明装置１は、照明モードｓｔ１または映像モードｓｔ２で動作する。
【００２５】
照明モードｓｔ１は、室内を照明するモードであり、後述する照明用光源１４１が点灯するモードである。また、映像モードｓｔ２は、プロジェクタから出力される映像がカバー６０へ投映されるモードである。なお、照明装置１は、室内を照明しつつ、カバー６０に映像を投映するモードを備えていてもよい。このようなモードにおいて、照明装置１は、室内を照明するモードよりも低い照度で照明を行うように、例えば、出力する光の強さに上限を設定してもよい。
【００２６】
例えば、照明装置１は、図示しないリモコンから入力される制御信号に基づき、照明モードｓｔ１と映像モードｓｔ２とを切り替えることが可能である。
【００２７】
続いて、図３を用いて第１の実施形態に係る照明装置１の構成例について説明する。図３は、第１の実施形態に係る照明装置の断面模式図である。なお、図３は、照明装置１を取り付け後に垂直方向に断面視した模式図に対応する。
【００２８】
図３に示すように、照明装置１は、取付部１１０と、筐体１２０と、本体部１３０と、基板１３１と、照明用光源１４１と、カバー６０と、プロジェクタ７０と、反射部材１７０とを具備する。また、図３では、照明装置１が、間接光源１４２と、間接光源１４２を設置する間接光源用基板１３３を有する場合を示す。間接光源１４２は、筐体１２０の外面に設けられ、天井９０に向けて発光する光源であり、間接光源用基板１３３は、間接光源１４２が設置される基板である。照明用光源１４１および間接光源１４２は、光源部の一例である。
【００２９】
取付部１１０は、図示しない引っ掛けシーリングに照明装置１を固定するためのアダプタである。例えば、照明装置１は、取付部１１０を介して引っ掛けシーリングから供給される電力によって動作する。
【００３０】
例えば、引っ掛けシーリングから供給される電力によって、照明用光源１４１、間接光源１４２およびプロジェクタ７０を動作させることが可能である。つまり、プロジェクタ７０を動作させるための電源を別途必要としないので、照明装置１の取り付けを簡略化することができる。なお、プロジェクタ７０を動作させるための電力源を引っ掛けシーリングとは別にすることにしてもよい。
【００３１】
筐体１２０は、プロジェクタ７０や反射部材１７０を収容する筐体であり、下端に本体部１３０が設置される。このように、筐体１２０内にプロジェクタ７０を内蔵することで、照明装置１の取り付けを簡略化することが可能となる。なお、後述するように、プロジェクタ７０は、筐体１２０の外部に配置されることにしてもよい。
【００３２】
本体部１３０は、冷間圧延鋼板等の金属材料の平板から円形状に形成された熱伝導性を有するシャーシである。また、本体部１３０は、上面視において円形状であり、中央に開口１３２を有する。すなわち、本体部１３０は、上面視においてドーナツ形状である。なお、本体部１３０は、筐体１２０と一体として形成されていてもよい。また、開口１３２は、プロジェクタ７０から出力された像の全体若しくは所定の範囲がカバー６０に投映されるのであれば、任意の大きさが採用可能である。例えば、開口１３２は、プロジェクタ７０から出力された映像が反射部材１７０を介してカバー６０まで到達するまでの距離、表示する像の大きさ、カバー６０の大きさ、若しくはプロジェクタ７０の焦点距離等に応じて任意の設定が可能である。
【００３３】
基板１３１は、ＳＭＤ（Surface  Mount  Device）形で構成され、照明用光源１４１が実装面に実装される。ただし、基板１３１は、ＳＭＤ形に限られず、ＣＯＢ（Chip  on  Board）形であってもよい。また、例えば、基板１３１は、所定の幅寸法を有した略円弧状の４枚の基板が繋ぎ合わされるように配設されて全体として略サークル状、すなわちドーナツ形状に形成されている。
【００３４】
照明用光源１４１は、基板１３１に実装されたＬＥＤである。照明用光源１４１は、例えば、基板１３１の周方向に沿って複数配置される。なお、照明用光源１４１は、ＬＥＤに限られず、蛍光灯であってもよい。
【００３５】
カバー６０は、透光性を有する乳白色の樹脂であり、いわゆるセードである。カバー６０は、上面側が開口し、本体部１３０の下面、基板１３１および照明用光源１４１を照明用光源１４１の出射面側から覆うように取り付けられる。また、カバー６０の下面部は、なだらかに湾曲突出するようにドーム状に形成される。なお、カバー６０は、照明用光源１４１から出力された光を拡散させることで、照明する範囲を拡張し、均斉度を向上させることができる。また、このようなカバー６０を採用することで、ＬＥＤ等、直進性が強い光を出力する発光素子が採用された場合にも、照明に用いる光のつぶつぶ感を軽減することができる。
【００３６】
プロジェクタ７０は、照明用光源１４１側からカバー６０に映像を投映する。なお、プロジェクタ７０は、外部機器と接続され、外部機器から取得した映像を投映することが可能であるが、この点については図４を用いて後述する。
【００３７】
また、図３に示す例では、プロジェクタ７０から出力された映像がカバー６０へ間接的に投映される場合について示している。すなわち、プロジェクタ７０から出力された映像は、一旦、反射部材１７０で反射したのちにカバー６０に投映される。これにより、プロジェクタ７０から出力された映像の映像光路を稼ぐことが可能となる。
【００３８】
例えば、プロジェクタ７０が出力する映像を所定の大きさで投映するには、プロジェクタ７０のレンズから投映面まで所定の長さの映像光路（いわゆる投射距離）を要する。また、投射距離が短い場合には、投映された映像がぼやけてしまう場合がある。このため、仮に、照明装置１内部に配置されたプロジェクタ７０からカバー６０に適切な映像（例えば、ぼやけが無く所定の大きさの映像）を投映させようとする場合、プロジェクタ７０からカバー６０まで十分な距離を確保する必要がある。しかしながら、プロジェクタ７０からカバー６０に映像を直接投映させようとすると、照明装置１の製品の厚みが増し、照明装置１の見栄えが低下する場合がある。また、照明装置１の製品の見栄えを重視し、厚みを薄くすると、プロジェクタ７０からカバー６０まで十分な距離を確保できず、カバー６０に映像を投映する範囲が限定されたり、映像がぼやけたりするおそれがある。
【００３９】
これに対して、第１の実施形態に係る照明装置１では、プロジェクタ７０から反射部材１７０へ向けて映像を出力した後に、反射部材１７０からカバー６０へ出力されるので、プロジェクタ７０から出力された映像を十分に拡大してカバー６０に投映することが可能となる。
【００４０】
言い換えれば、反射部材１７０を設けることで、プロジェクタ７０の映像光路を十分に確保することが可能となるので、照明装置１の厚みの増大を抑制しつつ、カバー６０に投映される範囲を拡張することが可能となる。
【００４１】
反射部材１７０は、プロジェクタ７０の映像光路に設けられ、プロジェクタ７０から出力された映像をカバー６０へ反射させる。また、反射部材１７０によって反射した映像は、開口１３２を介してカバー６０へ投映される。すなわち、照明装置１は、映像を通過させるための開口１３２を基板１３１に設けることで、プロジェクタ７０から出力された映像が基板１３１等で遮られることなくカバー６０に投映することが可能となる。なお、図３に示す例では、基板１３１の略中央部に開口１３２が設けられる場合について示したが、これに限定されるものではなく、開口１３２を基板１３１の略中央部からずらして設けることにしてもよい。また、反射部材１７０が１つである必要はなく、複数であってもよい。
【００４２】
ところで、上述のように、カバー６０の下面は、ドーム形状であり、反射部材１７０からカバー６０までの距離は箇所によって異なる。このため、カバー６０に投映される映像に歪みが生じる場合が考えられる。かかる問題に対して、反射部材１７０を例えば、球面状に形成することで、映像の歪みを補正することが可能である。また、かかる補正をプロジェクタ７０の設定によって行うことにしてもよい。
【００４３】
次に、図４を用いて照明装置１の接続関係について説明する。図４は、第１の実施形態に係る照明装置１の接続関係を示す模式図である。図４に示すように、照明装置１は、アンテナ１０１と、スピーカ１０２とを取り付け可能である。
【００４４】
例えば、アンテナ１０１は、Ｗｉｆｉ（登録商標）やＢｌｕｅｔｏｏｔｈ（登録商標）などの通信規格に従って無線通信を行うインターフェースである。照明装置１は、アンテナ１０１を介して外部機器Ｔからカバー６０に投映する映像を取得することが可能である。具体的には、外部機器Ｔのユーザが、例えば表示部１０３に表示された画像に対し、スワイプ操作などの所定の操作を実行すると、外部機器Ｔは、画像データを含む制御信号を出力する。外部機器Ｔから出力された制御信号をアンテナ１０１が受信すると、照明装置１は、受信した制御信号に基づき、プロジェクタ７０から画像データに対応する映像を出力し、カバー６０に投映させる。
【００４５】
また、照明装置１は、外部機器Ｔから映像に連動した音声情報を取得し、スピーカ１０２から映像に連動した音声を出力させることも可能である。すなわち、照明装置１は、映像に音声を加えたコンテンツを提供することが可能である。
【００４６】
このように、照明装置１は、外部機器Ｔから映像や音声を取得することで、多様なコンテンツを提供することが可能である。なお、照明装置１をインターネットなどの外部ネットワークに接続し、外部ネットワークを介してコンテンツを取得することにしてもよい。すなわち、例えば、ユーザが外部機器Ｔで購入した動画などのコンテンツを照明装置１が外部ネットワークを介して直接取得することにしてもよい。
【００４７】
なお、アンテナ１０１およびスピーカ１０２は、照明装置１の内部に設置されることにしてもよいし、照明装置１は、有線ケーブルで外部機器Ｔや外部ネットワークと接続されることにしてもよい。また、例えば、照明装置１を上述のように病院の病床に設置する場合、スピーカ１０２は、出力する音声に指向性を持たせた指向性スピーカであることが好ましい。これにより、病床の患者に対して選択的に音声を通知することが可能となる。
【００４８】
（変形例１）
次に、図５を用いて第１の実施形態の変形例１に係る照明装置について説明する。図５は、第１の実施形態の変形例１に係る照明装置の構成例を示す断面模式図である。図５に示すように、照明装置１Ａは、プロジェクタ７０が筐体２０の外部に設置される点で既に説明した照明装置１と異なる。
【００４９】
図５に示すように、照明装置１Ａは、筐体１２０の外部にプロジェクタ７０が設置され、筐体１２０のプロジェクタ７０の映像光路に貫通孔１２１が設けられる。例えば、プロジェクタ７０は、天井９０に直接取り付けられ、筐体１２０の側壁に設けられた貫通孔１２１を介して反射部材１７０へ向けて映像を出力する。
【００５０】
このように、照明装置１Ａでは、プロジェクタ７０を筐体１２０の外部に設けることで、プロジェクタ７０の分だけ、照明装置１Ａ自体の厚みを抑制することが可能となる。また、プロジェクタ７０を筐体１２０の外部に設置することで、プロジェクタ７０が筐体１２０内に設置される場合に比べてプロジェクタ７０の映像光路を長くすることが可能となる。
【００５１】
（変形例２）
次に、図６を用いて第１の実施形態の変形例２に係る照明装置について説明する。図６は、第１の実施形態の変形例２に係る照明装置の構成例を示す断面模式図である。図６に示すように、第１の実施形態の変形例２に係る照明装置１Ｂは、照明装置１、１Ａが有する反射部材１７０に代えてレンズ部材１８０を有する点で照明装置１、１Ａと異なる。
【００５２】
図６に示すように、照明装置１Ｂは、プロジェクタ７０からカバー６０に向けて映像を出力し、プロジェクタ７０の映像光路にレンズ部材１８０が設けられる。レンズ部材１８０は、広角レンズ等のレンズであり、プロジェクタ７０から出力された映像を拡散してカバー６０へ出力する。
【００５３】
すなわち、照明装置１Ｂにおいて、プロジェクタ７０から出力された映像は、レンズ部材１８０によって拡散されたのちにカバー６０へ投映される。したがって、プロジェクタ７０からカバー６０までの距離、すなわちプロジェクタ７０の映像光路を十分に確保できない場合であっても、広範囲にわたってカバー６０に映像を投映することが可能となる。
【００５４】
（変形例３）
次に、図７を用いて第１の実施形態の変形例３に係る照明装置について説明する。図７は、第１の実施形態の変形例３に係る照明装置の構成例を示す断面模式図である。図７に示すように、第１の実施形態の変形例３に係る照明装置１Ｃは、上述の反射部材１７０とレンズ部材１８０とを共に具備する点で、照明装置１、１Ａ、１Ｂと異なる。
【００５５】
例えば、照明装置１Ｃは、筐体１２０の外部にプロジェクタ７０が設けられ、プロジェクタ７０から反射部材１７０に向けて映像が出力される。そして、反射部材１７０で反射した映像は、レンズ部材１８０によって拡散された後に、カバー６０に投映されることとなる。
【００５６】
すなわち、照明装置１Ｃでは、反射部材１７０によってプロジェクタ７０の映像光路を長くするとともに、レンズ部材１８０によって映像が拡散される。このように、照明装置１Ｃでは、反射部材１７０と、レンズ部材１８０とを組み合わせて用いることで、照明装置１Ｃの厚みをより薄くすることが可能となる。
【００５７】
なお、図７に示す例では、プロジェクタ７０が筐体１２０の外部に設置される場合を示したが、プロジェクタ７０を筐体１２０内に収容することにしてもよい。また、プロジェクタ７０、反射部材１７０、レンズ部材１８０の順に映像が通過する場合について説明したが、プロジェクタ７０、レンズ部材１８０、反射部材１７０の順に映像を通過させることにしてもよい。
【００５８】
上述したように、第１の実施形態に係る照明装置１、１Ａ〜１Ｃは、照明用光源１４１と、照明用光源１４１を出射面側から覆うカバー６０と、照明用光源１４１側からカバー６０に映像を投映するプロジェクタ７０とを具備する。したがって、照明装置１、１Ａ〜１Ｃによれば、付加価値の高い照明装置を提供することが可能となる。
【００５９】
ところで、上述した実施形態では、プロジェクタ７０から間接的に映像をカバー６０に投映する場合について説明したが、プロジェクタ７０から映像を直接カバー６０へ投映することにしてもよい。すなわち、反射部材１７０やレンズ部材１８０を省略することも可能である。
【００６０】
［第２の実施形態］
次に、図８を用いて第２の実施形態に係る照明装置の構成例について説明する。図８は、第２の実施形態に係る照明装置の断面模式図である。なお、説明を分かりやすくするために、図８等には、鉛直上向きを正方向とし、鉛直下向きを負方向とするＺ軸を含む３次元の直交座標系を図示する場合がある。
【００６１】
図８に示すように、第２の実施形態に係る照明装置１Ｄは、取付部２１０と、筐体２２０と、本体部２３０と、発光部４０と、カバー６０と、プロジェクタ７０とを有する。
【００６２】
取付部２１０は、図示しない引っ掛けシーリングに照明装置１を固定するためのアダプタである。例えば、照明装置１Ｄは、取付部２１０を介して引っ掛けシーリングから供給される電力によって動作する。なお、プロジェクタ７０を動作させるための電力源を引っ掛けシーリングとは別にすることにしてもよい。
【００６３】
筐体２２０は、プロジェクタ７０を収容する筐体である。筐体２２０は、首部２２１と、平坦部２２２と、接続部２２３と、外縁部２２４とを有し、これらが一体に形成された平板状の部材である。首部２２１は、取付部２１０の外縁からＺ軸負方向側に延びる筒状を有している。首部２２１は、天井９０と平坦部２２２との間隔を規定するスペーサである。なお、首部２２１は、筐体２２０の一部であるとして説明したが、取付部２１０の一部であってもよい。
【００６４】
平坦部２２２は、首部２２１を囲むようにＸＹ平面に沿って延びる板状の部材である。平坦部２２２は、首部２２１を挟んで天井９０と対面する背面２２２ａを有する。平坦部２２２は、背面２２２ａが天井９０と略平行となるように図示されたが、天井９０に対して傾斜するように配置されてもよい。
【００６５】
外縁部２２４は、本体部２３０と向かい合う前面２２４ａを有する環状の部材である。外縁部２２４は、接続部２２３を介して平坦部２２２に接続される。
【００６６】
また、筐体２２０内には、第１収容部２２５と、第２収容部２２６とが形成されている。第１収容部２２５は、取付部２１０と首部２２１とで囲まれた空間であり、第２収容部２２６は、第１収容部２２５、接続部２２３および外縁部２２４で囲まれた空間である。第１収容部２２５にはプロジェクタ７０が収容されている。このように、筐体２２０内の第１収容部２２５にプロジェクタ７０を収容することで、照明装置１Ｄの取り付けを簡略化することが可能となる。なお、プロジェクタ７０は、天井９０の内部に埋め込まれるように配置されてもよい。
【００６７】
また、第２収容部２２６は、カバー６０と協働してプロジェクタ７０からの投射距離を規定する。第２収容部２２６は、プロジェクタ７０の一部を収容してもよい。
【００６８】
なお、第１収容部２２５および第２収容部２２６の形状は、図示したものに限られない。例えば、平坦部２２２および外縁部２２４を、ＸＹ平面に沿って延びる一連の部材とすることで第２収容部２２６を有しないこととしてもよい。また、取付部２１０と首部２２１との間に第１収容部２２５を有さず、第２収容部２２６にプロジェクタ７０を収容することとしてもよい。
【００６９】
本体部２３０は、例えば図３に示す本体部１３０と同様に金属材料の平板から円形状に形成された熱伝導性を有するシャーシである。また、本体部２３０は、平面視で円形状であり、中央に開口２３３を有する。すなわち、本体部２３０は、平面視で環状である。また、本体部２３０は、背面側の第１主面２３１が筐体２２０の外縁部２２４に取り付けられており、前面側の第２主面２３２には後述する第１発光部４１、４４が取り付けられている。第１発光部４１、４４の発光により発生した熱は、本体部２３０および筐体２２０を介して放熱される。
【００７０】
なお、本体部２３０は、筐体２２０と一体として形成されていてもよい。また、開口２３３は、プロジェクタ７０から出力された像の全体若しくは所定の範囲がカバー６０に投映されるのであれば、任意の大きさが採用可能である。例えば、開口２３３は、プロジェクタ７０から出力された映像がカバー６０まで到達するまでの距離、表示する像の大きさ、カバー６０の大きさ、若しくはプロジェクタ７０が有するレンズ部材７２の焦点距離等に応じて任意の設定が可能である。
【００７１】
発光部４０は、第１発光部４１、４４と、第２発光部４７、５０とを有する。第１発光部４１、４４は、本体部２３０の第２主面２３２に配置されており、第２発光部４７、５０は、平坦部２２２の背面２２２ａに配置されている。第１発光部４１、４４は、開口２３３を挟んで向かい合うように開口２３３の外側に配置されている。第２発光部４７、５０は、取付部２１０を挟んで向かい合うように取付部２１０の外側に配置されている。
【００７２】
第１発光部４１は、基板４２と、第１発光素子４３ａと、第２発光素子４３ｂと、第３発光素子４３ｃとを有する。第１発光素子４３ａは、第１発光素子４３ａ〜第３発光素子４３ｃのうち、最も外側に配置される。第２発光素子４３ｂは、第１発光素子４３ａを挟んで第３発光素子４３ｃと向かい合うように第１発光素子４３ａの内側に配置され、第３発光素子４３ｃは、第２発光素子４３ｂと開口２３３との間に配置される。第１発光素子４３ａ〜第３発光素子４３ｃは、照明用光源の一例である。
【００７３】
第１発光部４４は、基板４５と、第１発光素子４６ａと、第２発光素子４６ｂと、第３発光素子４６ｃとを有する。第２発光素子４６ｂは、第１発光素子４６ａを挟んで第３発光素子４６ｃと向かい合うように第１発光素子４６ａの内側に配置され、第３発光素子４６ｃは、第２発光素子４６ｂと開口２３３との間に配置される。第１発光素子４６ａ〜第３発光素子４６ｃは、照明用光源の一例である。
【００７４】
基板４２、４５は、ＳＭＤ（Surface  Mount  Device）形で構成され、実装面に第１発光素子４３ａ、４６ａ〜第３発光素子４３ｃ、４６ｃがそれぞれ実装される。ただし、基板４２、４５は、ＳＭＤ形に限られず、ＣＯＢ（Chip  on  Board）形であってもよい。なお、図３においては、所定の幅寸法を有した略円弧状の４枚の基板が繋ぎ合わされるように配設されて全体として略サークル状に形成された基板を有している。つまり、全体として略サークル状に形成された基板は、４枚の分割された基板から構成されており、基板４２、４５は、そのうちの一部を図示したものである。同様に、発光素子は、例えば、開口２３３を囲む略サークル状に複数列配置されている。
【００７５】
第１発光素子４３ａ、４６ａは、基板４２、４５の周方向または長さ方向に沿うように複数の原色光源が配列された原色光源列である第１光源列を有する。原色光源列には、発光色が異なる複数の原色光源が相互に配列される。具体的には、原色光源列は、赤色、緑色および青色の光をそれぞれ出射する原色光源を有し、調光および調色制御に応じて合成された光を出射する。ただし、原色光源列は、１または２種類や４種類以上の原色光源を有することにしてもよい。
【００７６】
第２発光素子４３ｂ、４６ｂおよび第３発光素子４３ｃ、４６ｃはそれぞれ、基板４２、４５の周方向または長さ方向に沿うように複数の白色光源が配列された白色光源列である第２光源列および第３光源列をそれぞれ有する。第２発光素子４３ｂ、４６ｂおよび第３発光素子４３ｃ、４６ｃがそれぞれ有する白色光源は、色温度が同じであってもよく、異なっていてもよい。また、第２発光素子４３ｂ、４６ｂおよび第３発光素子４３ｃ、４６ｃがそれぞれ有する白色光源列は、色温度が異なる複数の白色光源を配列したものであってもよい。ここで、白色光源は、電球色や昼白色の光を出射するものであってもよく、温白色、白色、昼光色等の光を出射するものであってもよい。
【００７７】
第１発光素子４３ａ、４６ａ〜第３発光素子４３ｃ、４６ｃは、例えばＬＥＤである。照明装置１Ｄは、原色光源である第１発光素子４３ａ、４６ａおよび白色光源である第２発光素子４３ｂ、４６ｂおよび第３発光素子４３ｃ、４６ｃの調光をそれぞれ独立に制御することが可能である。これにより、第１発光部４１、４４については、発光色ごとの調光比を調整して発光色ごとの光出力を可変にすることが可能である。
【００７８】
また、第１発光素子４３ａ、４６ａ〜第３発光素子４３ｃ、４６ｃは、プロジェクタ７０から映像が投映されたときに発光する。第１発光素子４３ａ、４６ａ〜第３発光素子４３ｃ、４６ｃは、光源部の一例である。なお、第１発光素子４３ａ、４６ａ〜第３発光素子４３ｃ、４６ｃは、同時に発光してもよく、一部の発光素子列のみが発光してもよい。
【００７９】
なお、第１発光部４１、４４は、開口２３３の外側を囲むように環状に形成されたものであってもよい。すなわち、基板４２、４５は、環状に配置された一つの基板であってもよい。また、第１光源列〜第３光源列はそれぞれ、環状に配置された基板の周方向に沿うように略等間隔に並ぶ環状の光源列を有してもよい。
【００８０】
第２発光部４７は、基板４８と、第４発光素子４９とを有する。第２発光部５０は、基板５１と、第４発光素子５２とを有する。基板４８、５１は、例えばＦＰＣ（Flexible  Printed  Circuit）である。基板４８、５１は、基板４２、４５と異なっていてもよく、また同じであってもよい。
【００８１】
第４発光素子４９、５２は、基板４８、５１の周方向または長さ方向に沿うように複数の原色光源が配列された原色光源列をそれぞれ有し、調光および調色制御に応じて合成された光を出射する。第４発光素子４９、５２は、間接光源の一例である。なお、基板４８、５１は、環状に配置された一つの基板であってもよい。また、第４発光素子４９、５２は、環状に配置された基板の周方向に沿うように配置された光源列を有してもよい。
【００８２】
カバー６０は、透光性を有する乳白色の樹脂であり、いわゆるセードである。カバー６０は、内面６３にプロジェクタ７０からの映像が投映される第１部分６１と、第１部分６１の外側に配置された第２部分６２とを有する。第２部分６２は、第１部分６１よりも透光性が低くなるように形成される。また、第１部分６１の外側に第２部分６２を配置することで、プロジェクタ７０から投映される映像の演色効果を高めることができる。
【００８３】
カバー６０は、内面６３側が開口し、本体部２３０の第２主面２３２、第１発光部４１、４４を前面側、すなわち第１発光部４１、４４の出射面側から覆うように取り付けられる。また、照明装置１Ｄの前面側であるカバー６０の外面６４は、なだらかに湾曲突出するようにドーム状に形成される。なお、カバー６０は、第１発光部４１、４４から出力された光を拡散させることで、照明する範囲を拡張し、均斉度を向上させることができる。また、このようなカバー６０を採用することで、ＬＥＤ等、直進性が強い光を出力する発光素子が採用された場合にも、照明に用いる光のつぶつぶ感を軽減することができる。なお、カバー６０は、第２部分６２を有さず、一体に形成されてもよい。
【００８４】
プロジェクタ７０は、背面側からカバー６０に映像を投映する。プロジェクタ７０は、本体部７１とレンズ部材７２とを有する。本体部７１は、映像を出力する。レンズ部材７２は、本体部７１から出力された映像がカバー６０へ向けて所定の映像光路７５で投映されるように拡散させる。レンズ部材７２は、例えば魚眼レンズまたは広角レンズである。
【００８５】
プロジェクタ７０は、カバー６０のうち、開口２３３と向かい合う第１領域Ｒ１にプロジェクタ７０から出力された映像を投映させる。カバー６０の前面側の全領域Ｒのうち、５０％以上の領域に映像を投映させるレンズ部材７２を選択すると、プロジェクタ７０から投映された映像がカバー６０の前面（外面６４）側から視認しやすくなる。
【００８６】
また、第１領域Ｒ１には、第１発光部４１、４４のうち、第３発光素子４３ｃ、４６ｃから出力された光が照射される。プロジェクタ７０からの映像がカバー６０の第１領域Ｒ１に投映されたときに第３発光素子４３ｃ、４６ｃを発光させると、第１領域Ｒ１に投映される映像を際立たせることができる。
【００８７】
一方、カバー６０のうち、第１領域Ｒ１の外側の第２領域Ｒ２にはプロジェクタ７０からの映像は投映されず、第１発光素子４３ａ、４６ａからの光が照射される。プロジェクタ７０からの映像がカバー６０の第１領域Ｒ１に投映されたときに第１発光素子４３ａ、４６ａを発光させると、第１領域Ｒ１に投映される映像と第１領域Ｒ１との境界をぼかすことができる。すなわち、第１発光部４１、４４のうち、プロジェクタ７０からの映像がカバー６０に投映されたときに発光する発光素子を変更することにより、用途に応じた演色効果をアレンジすることができる。
【００８８】
また、プロジェクタ７０から映像が投映されたときに天井９０と背面２２２ａとの間を照明する第２発光部４７、５０の第４発光素子４９、５２は、第１発光部４１、４４による演色効果を高めることができる。第４発光素子４９、５２は、光源部の一例である。なお、第２発光部４７、５０は、第１発光部４１、４４と同時に発光されることとしてもよく、第１発光部４１、４４の消灯時に第２発光部４７、５０のみを発光させることとしてもよい。
【００８９】
（変形例）
上記した実施形態では、第２発光部４７、５０は背面２２２ａに配置されるとして説明したが、これに限らない。図９は、第２の実施形態の変形例に係る照明装置の断面模式図である。
【００９０】
図９に示す照明装置１Ｅは、第２発光部４７、５０が首部２２１の外面２２１ａに配置されたことを除き、照明装置１Ｄと同じ構成を有している。このように首部２２１の外面２２１ａに第２発光部４７、５０を配置させると、天井９０と背面２２２ａとの間から水平方向に沿うように第２発光部４７、５０からの光が照射される。これにより、図８に示す照明装置１Ｄと比較して照明装置１Ｅから離れた位置まで照明されるため、天井９０と照明装置１Ｅとの一体感が高まる。
【００９１】
このように、実施形態に係る光源部は、プロジェクタ７０の映像光路７５の外側に配置され、映像が投映されたときに発光する。これにより、付加価値の高い照明装置１Ｄ、１Ｅを提供することができる。
【００９２】
ところで、上記した実施形態では、第１発光素子４３ａ、４６ａが原色光源、第３発光素子４３ｃ、４６ｃが白色光源として説明したが、これに限らず、第１発光素子４３ａ、４６ａを白色光源、第３発光素子４３ｃ、４６ｃを原色光源としてもよい。このように第１発光素子４３ａ、４６ａを白色光源とすることにより、天井９０と照明装置１Ｄ、１Ｅとの一体感が高まる。
【００９３】
また、第２発光素子４３ｂ、４６ｂからの光は、第１領域Ｒ１に照射されてもよく、第２領域Ｒ２に照射されてもよく、第１領域Ｒ１および第２領域Ｒ２の両方に照射されてもよい。第２発光素子４３ｂ、４６ｂは、白色光源として説明したが、これに限らず、原色光源であってもよい。また、第２発光素子４３ｂ、４６ｂは有さなくてもよい。
【００９４】
また、上記した実施形態では、第１発光部４１、４４は、所定の方向に配列された光源列を有するとして説明したが、これに限らず、例えば基板４２、４５上にランダムに配置された複数の白色光源を有してもよい。
【００９５】
また、上記した実施形態では、第２発光部４７、５０は、原色光源を有するとして説明したが、これに限らず、例えば白色光源を有してもよい。
【００９６】
［第３の実施形態］
続いて、図１０を用いて第３の実施形態に係る照明装置の構成例について説明する。図１０は、第３の実施形態に係る照明装置の断面模式図である。
【００９７】
図１０に示すように、照明装置１Ｆは、取付部１０と、筐体２０と、本体部３０と、発光部４０と、カバー６０と、化粧枠部６５と、プロジェクタ７０と、レンズ部材７２と、遮光部８０と、第１電源部１００と、第２電源部１０５とを具備する。
【００９８】
取付部１０は、図示しない引っ掛けシーリングに照明装置１を固定するためのアダプタである。例えば、照明装置１Ｆは、取付部１０を介して引っ掛けシーリングから供給される電力によって動作する。なお、プロジェクタ７０を動作させるための電力源を引っ掛けシーリングとは別にすることにしてもよい。
【００９９】
筐体２０は、例えば、樹脂材料や金属材料から構成されるとともに、略逆円錐形状に形成され、内部に各種機器を収容する。筐体２０は、前面部２１と、側面部２２と、背面部２３とを具備する。前面部２１は、例えば平板状に形成される。側面部２２は、前面部２１の外縁から連続するとともに、上方へ向けて延在するように形成される。背面部２３は、側面部２２の上端から連続するとともに、照明装置１Ｆの中心側へ向けて延在するように形成される。
【０１００】
筐体２０は、上記した前面部２１、側面部２２および背面部２３によって内部に空間Ｓが形成され、かかる空間Ｓにプロジェクタ７０および後述する第２電源部１０５が収容される。以下、空間Ｓを「収容空間Ｓ」と記載する場合がある。
【０１０１】
第２電源部１０５は、取付部１０を介して商用交流電源に接続されており、この商用交流電源を受けて直流出力を生成する。第２電源部１０５は、直流出力をプロジェクタ７０に供給し、プロジェクタ７０の動作を制御可能に構成される。第２電源部１０５は、制御部の一例である。
【０１０２】
なお、図示は省略するが、筐体２０には、例えばプロジェクタ７０から排出される熱や第２電源部１０５で発生する熱を筐体２０外へ排出する放熱用のファンなどが収容されてもよい。また、筐体２０には、放熱用のスリット（図示せず）が形成されてもよい。スリットは、例えば筐体２０の側面部２２や背面部２３に形成することができる。なお、スリットの数や位置は、任意に設定することができる。
【０１０３】
また、背面部２３には、上記した取付部１０が設けられる。従って、筐体２０は、取付部１０を介して、天井９０の取付面９１に取り付けられることとなる。
【０１０４】
側面部２２は、円筒部２２ａと、テーパ部２２ｂとを有する。円筒部２２ａは、下端が前面部２１の外縁に連続する一方、上端がテーパ部２２ｂの下端に連続する、略円筒状の部位である。
【０１０５】
テーパ部２２ｂは、下端が円筒部２２ａの上端に連続する一方、上端が背面部２３の外縁に連続する部位である。テーパ部２２ｂは、上端へいくにつれて側面視で外側に傾斜するように形成される。テーパ部２２ｂは、かかる形状に形成されることで、発光部４０からの光を反射させるが、これについては後述する。
【０１０６】
前面部２１において、例えば中心付近には、開口が形成され、かかる開口に、プロジェクタ７０に接続されたレンズ部材７２が挿通される。なお、上記では、前面部２１の開口にレンズ部材７２が挿通されるようにしたが、これに限定されるものではなく、例えばプロジェクタ７０の一部が挿通されてもよく、要は、筐体２０に収容されたプロジェクタ７０からの映像がカバー６０側へ出力される構成であればよい。
【０１０７】
筐体２０の前面部２１には、後述する本体部３０が接続される。なお、筐体２０と本体部３０とは、別体に形成されるが、一体に形成されてもよい。
【０１０８】
本体部３０は、例えば熱伝導性が比較的高い材料（金属材料など）から構成され、円盤状に形成されるシャーシである。例えば、本体部３０は、前面３０ａと、対向面３０ｂとを有する。前面３０ａは、本体部３０においてカバー６０側の面である。対向面３０ｂは、前面３０ａとは反対側の背面であり、また、天井９０の取付面９１と対向する面である。
【０１０９】
本体部３０の前面３０ａ側には、後述する第１発光部４１が設けられる一方、対向面３０ｂ側には、後述する第２発光部５０および第１電源部１００が設けられる。従って、第１発光部４１や第２発光部５０の発光により、あるいは第１電源部１００で発生した熱は、本体部３０を介して放熱される。
【０１１０】
第１電源部１００は、取付部１０を介して商用交流電源に接続されており、この商用交流電源を受けて直流出力を生成する。第１電源部１００は、直流出力を発光部４０に供給し、第１発光部４１および第２発光部５０をそれぞれ独立して点灯制御または調光制御するように構成される。第１電源部１００は、制御部の一例である。
【０１１１】
本体部３０についてさらに詳しく説明すると、本体部３０は、平坦部３１と、凹部３２と、外縁部３３とを具備する。
【０１１２】
平坦部３１は、照明装置１Ｆの中心付近に位置され、例えば平板状でＸＹ平面に沿って延在するように形成される。なお、平坦部３１は、平面視で矩形状に形成されるが、これに限られず、例えば平面視で円形状などその他の形状であってもよい。
【０１１３】
平坦部３１において、例えば中心付近には、開口３１ａが形成される。平坦部３１の開口３１ａには、例えばレンズ部材７２が挿通される。また、平坦部３１の開口３１ａまたは開口３１ａ付近には、遮光部８０が取り付けられるが、これについては後述する。
【０１１４】
凹部３２は、平坦部３１の外縁側に連続するように設けられ、側面視で平坦部３１から下方へ向けて突出するように凹んだ部位である。例えば、凹部３２は、第１壁面３２ａと、底面３２ｂと、第２壁面３２ｃとを有する。
【０１１５】
第１壁面３２ａは、平坦部３１の外縁から連続するとともに、下方へ延在するように形成される。底面３２ｂは、第１壁面３２ａから連続するとともに、ＸＹ平面に沿って外方へ延在するように形成される。第２壁面３２ｃは、底面３２ｂの外縁から連続するとともに、上方へ延在するように形成される。
【０１１６】
また、第１壁面３２ａの平面視における形状は、第１壁面３２ａが平坦部３１から連続することから、平坦部３１の形状に対応する形状、すなわち、矩形状とされる。また、第２壁面３２ｃの平面視における形状は、例えば円形状とされる。
【０１１７】
外縁部３３は、凹部３２の外縁側に連続するように設けられ、本体部３０の外縁を形成する部位である。外縁部３３の平面視における形状は、例えば円形状とされる。
【０１１８】
上記のように形成された本体部３０には、発光部４０が設けられる。発光部４０は、第１発光部４１と、第２発光部５０とを有する。
【０１１９】
第１発光部４１は、本体部３０の前面３０ａ側、例えば凹部３２の前面側に設けられるとともに、開口３１ａを挟んで向かい合うように開口３１ａの外側に配置される。
【０１２０】
第１発光部４１は、基板４２と、第１発光素子４３ａと、第２発光素子４３ｂと、第３発光素子４３ｃとを有する。基板４２は、所定の幅寸法を有した略円弧状の基板が複数枚（例えば４枚）繋ぎ合わされるように配設されて全体として略サークル状に形成される。つまり、全体として略サークル状に形成された基板４２は、複数枚に分割された基板から構成されており、図１０では、そのうちの一部を図示している。
【０１２１】
第１発光部４１は、第１発光素子４３ａ〜第３発光素子４３ｃの発光により発光面４１ａから光が出射され、照明装置１Ｆが取り付けられた室内を照明する。第１発光素子４３ａ〜第３発光素子４３ｃは、照明用光源の一例である。
【０１２２】
また、第１発光部４１の第１発光素子４３ａ〜第３発光素子４３ｃは、プロジェクタ７０から映像がカバー６０に投映されたときに発光することができる。第１発光素子４３ａ〜第３発光素子４３ｃは、光源部の一例である。
【０１２３】
第２発光部５０は、本体部３０の対向面３０ｂ側に設けられる。例えば、第２発光部５０は、本体部３０の凹部３２の背面側、詳しくは凹部３２の第２壁面３２ｃに複数設けられる。なお、第２発光部５０が設けられた凹部３２には、透光性を有するカバーが凹部３２を覆うようにして配置されてもよい。
【０１２４】
第２発光部５０は、基板５１と、基板５１の実装面に実装された第４発光素子５２とを有する。第２発光部５０は、本体部３０の凹部３２の第２壁面３２ｃに複数取り付けられる。ここで、凹部３２の第２壁面３２ｃは、上記したように、平面視で円形状であることから、第２発光部５０は、略サークル状に並んで配置された光源列となる。また、第２発光部５０は、発光面５０ａが本体部３０の外縁側から中心側へ向くようにして設けられる。
【０１２５】
第２発光部５０は、第４発光素子５２の発光により発光面５０ａから光が出射され、対向面３０ｂと天井９０の取付面９１との間を照明する。第４発光素子５２は、間接光源の一例である。
【０１２６】
上記した第１発光部４１が有する基板４２と、第１発光素子４３ａ〜第３発光素子４３ｃ、第２発光部５０が有する基板５１、第４発光素子５２は、例えば、図８に示す照明装置１Ｄが具備する第１発光部４１が有する基板４２、第１発光素子４３ａ〜第３発光素子４３ｃ、第２発光部５０が有する基板５１、第４発光素子５２と同じ材料および構成とすることができる。このため、第１発光部４１、第２発光部５０に関する詳細な説明は省略する。
【０１２７】
ここで、第２発光部５０から出射された光である「間接光」について、図１０を参照しつつ説明する。本実施形態において、間接光は、第２発光部５０の第４発光素子５２から対向面３０ｂと取付面９１との間の空間へ向けて出射された後、上記した筐体２０のテーパ部２２ｂなどに当たって反射する。
【０１２８】
具体的に説明すると、筐体２０は、第２発光部５０が設けられる本体部３０の対向面３０ｂと、天井９０の取付面９１との間に配置される。従って、筐体２０の側面部２２も、本体部３０の対向面３０ｂと取付面９１との間に位置される。そして、側面部２２のテーパ部２２ｂは、上記したように、上端へいくにつれて側面視で外側に傾斜するように形成される、言い換えると、第２発光部５０から離間するにつれて側面視で外側に傾斜するように形成される。別言すれば、テーパ部２２ｂは、表面（外面）が、下方に位置する第２発光部５０へ向くように傾斜している。
【０１２９】
これにより、第２発光部５０から出射された光は、図１０に矢印Ａ１で示すように、対向面３０ｂと取付面９１との間の空間を通過した後に、テーパ部２２ｂに反射して当該空間へ戻ることとなる。
【０１３０】
このように、本実施形態にあっては、第２発光部５０の間接光が筐体２０のテーパ部２２ｂに反射することから、照明装置１Ｆの背面側、詳しくは、本体部３０の対向面３０ｂと取付面９１との間の空間を、反射しない場合に比べて明るくすることができる。これにより、照明装置１Ｆにおいて、間接光による演出効果や装飾性を向上させることができる。
【０１３１】
なお、テーパ部２２ｂの傾斜角度は、任意の値に設定可能である。例えば、テーパ部２２ｂの傾斜角度は、第２発光部５０からの間接光が対向面３０ｂと取付面９１との間の空間へ効率良く反射するような値に設定されてもよく、また、間接光が後述する化粧枠部６５へ向けて効率良く反射するような値に設定されてもよい。
【０１３２】
また、筐体２０の色、具体的には筐体２０のテーパ部２２ｂの色は、任意の色に設定可能であるが、例えば、間接光を反射させるため、光の反射率が比較的高い色（例えば白色など）とされてもよいし、デザイン性などの観点からその他の色であってもよい。
【０１３３】
また、本実施形態に係る第２発光部５０は、上記したように、発光面５０ａが本体部３０の外縁側から中心側へ向くようにして設けられる、言い換えると、筐体２０のテーパ部２２ｂが位置する中心側へ向くようにして設けられる。これにより、本実施形態にあっては、第２発光部５０の間接光をテーパ部２２ｂでより反射させ易くでき、よって本体部３０の対向面３０ｂと取付面９１との間の空間を効果的に明るくすることができる。これにより、照明装置１Ｆにおいて、間接光による演出効果や装飾性をより向上させることができる。
【０１３４】
また、筐体２０にあっては、上記したテーパ部２２ｂが形成されることで、筐体２０内の放熱性を向上させることができる。すなわち、テーパ部２２ｂは、上端へいくにつれて側面視で外側に傾斜するように形成されるため、筐体２０の収容空間Ｓは、上方へいくにつれて側面視で拡幅する形状となる。
【０１３５】
そのため、本実施形態にあっては、例えば、筐体２０に収容されるプロジェクタ７０から排出された熱を、図１０に矢印Ｂで示すように、テーパ部２２ｂによって拡幅された収容空間Ｓの上方へ向けて拡散させつつ、背面部２３のスリット（図示せず）などから放熱させることができる。このように、本実施形態においては、テーパ部２２ｂを設けて筐体２０内の熱が拡散されて排出され易い形状とすることで、テーパ部２２ｂが筐体２０に形成されない場合に比べて、筐体２０内の放熱性を向上させることができる。
【０１３６】
また、本実施形態にあっては、例えば、プロジェクタ７０が音声を出力するスピーカなど（図示せず）を有する場合、スピーカから出力された音声をユーザへ効率よく伝達させることができる。すなわち、本実施形態に係る筐体２０にあっては、傾斜するテーパ部２２ｂが形成されることで、スピーカから出力された音声をテーパ部２２ｂに当てて反響させることが可能となり、よって音声をユーザへ効率よく伝達させることができる。
【０１３７】
カバー６０は、例えば透光性を有するとともに、乳白色の樹脂から構成される、いわゆるセードである。カバー６０は、内面６３側が本体部３０の前面３０ａに対向するように位置され、本体部３０や第１発光部４１を前面側、すなわち第１発光部４１の出射面側から覆うように設けられる。また、本体部３０の中心付近には、プロジェクタ７０に接続されたレンズ部材７２が配置されることから、カバー６０は、レンズ部材７２を出射面側から覆うように設けられる、ともいえる。
【０１３８】
カバー６０は、例えば平面視で円形状に形成される。また、カバー６０の外面６４は、照明装置１Ｆの前面側を構成し、かかる外面６４は、下方へ向けてなだらかに突出する湾曲状、言い換えるとドーム状に形成される。なお、カバー６０の曲率は、例えばＲ４００〜Ｒ１７００とすることができる。カバー６０は、第１発光部４１から出力された光を拡散させることで、照明する範囲を拡張し、均斉度を向上させることができる。また、このようなカバー６０を採用することで、ＬＥＤ等、直進性が強い光を出力する発光素子が採用された場合に、照明に用いる光のつぶつぶ感を軽減することができる。なお、上記のように構成されるカバー６０には、プロジェクタ７０から出力された映像が投映される。
【０１３９】
ところで、プロジェクタ７０からカバー６０に投映された映像は、ユーザが視認する角度によって見え方が異なる場合がある。例えば、照明装置１Ｆを直下から見たときにカバー６０に投映された映像を明確に視認することができれば、この照明装置１Ｆを斜めから見ても、カバー６０に投映された映像が明確に視認できるとは限らない。この点について、図１１〜図１４を用いて説明する。
【０１４０】
図１１は、評価試験用投映画像の一例を示す模式図である。図１１に示す投映画像は、複数の彩色部１５０と文字部１６０とを有する。図１１に示した例では、合計２４の彩色部１５０が縦横に配列されており、色彩や彩度が互いに異なるようにそれぞれ彩色されている。また、文字部１６０には、複数の文字が配列されている。
【０１４１】
図１１に示す投映画像をプロジェクタ７０からカバー６０に投映し、その見え方を目視により評価する。図１２は、評価指標とスコアとの関係を示す図である。図１２に示した例では、プロジェクタ７０からカバー６０に投映された評価試験用投映画像を、１点〜５点の５段階のスコアで評価する。各スコアの評価の指標は下記のとおりである。５点：文字部１６０の文字がはっきり見える。４点：文字部１６０の文字がぼやける。３点：文字部１６０の文字が（何となく）見える。２点：彩色部１５０の色が分かる（文字部１６０の文字は見えない）。１点：彩色部１５０の色が分からない部分がある。
【０１４２】
次に、図１３、図１４を用いて、カバー６０に投映された画像の見え方の違いについて説明する。図１３、図１４は、カバーの全光線透過率とスコアとの関係を示す図である。図１３は、図１１に示す投映画像をプロジェクタ７０からカバー６０に投映した照明装置１Ｆを直下から見た場合を示しており、図１４は、図１３と同じ照明装置１Ｆを斜め４５°から見た場合を示している。図１３、図１４中、黒丸で示した各点はカバー６０の全光線透過率ごとに評価されたスコアの点数を平均したものであり、線分は得られた値を多項式近似したものである。
【０１４３】
図１３に示すように、照明装置１Ｆを直下から見ると、カバー６０の全光線透過率の上昇に応じてスコアの点数が上昇する。一方、図１４に示すように、照明装置１Ｆを斜めから見ると、カバー６０の全光線透過率の上昇に応じてスコアの点数が上昇し、全光線透過率が５０％を超えるとスコアの点数が下降に転じる。特に、全光線透過率が８０％を超えると、スコアの点数が著しく低下する。そこで、本実施形態に係る照明装置１Ｆにあっては、全光線透過率が３０％以上８０％以下のカバー６０を使用することで、ユーザと照明装置１Ｆとの位置関係にかかわらずカバー６０に投映された映像が視認しやすくなる。
【０１４４】
図１０に戻り、照明装置１Ｆについてさらに説明する。化粧枠部６５は、カバー６０の外縁６０ｃ側であって、本体部３０より側面視で外側に配置される、環状の部材である。化粧枠部６５は、例えば透光性を有するとともに、半透明または透明な白色の樹脂から構成される。なお、化粧枠部６５は、透光部の一例である。
【０１４５】
なお、化粧枠部６５は、カバー６０と一体に形成されるが、カバー６０とは別体に形成されてもよい。また、化粧枠部６５は、本体部３０とは別体に形成されるが、本体部３０と一体に形成されてもよい。また、上記では、化粧枠部６５やカバー６０の色や材質を具体的に示したが、これはあくまでも例示であって限定されるものではない。
【０１４６】
化粧枠部６５は、カバー６０の外縁６０ｃ側であって、第２発光部５０が設けられる本体部３０より外側に配置されることから、第２発光部５０からの光を透光することができる。具体的には、例えば、化粧枠部６５は、第２発光部５０から出射された間接光や、筐体２０のテーパ部２２ｂで反射された間接光が透光する（図１０の矢印Ａ２参照）。
【０１４７】
本実施形態に係る照明装置１Ｆにあっては、第２発光部５０の間接光を化粧枠部６５に透光させることで、間接光に、照明装置１Ｆの外側に向けた広がりを持たせることが可能になり、結果として間接光による演出効果や装飾性をより一層向上させることができる。
【０１４８】
また、環状に形成された化粧枠部６５は、側面視で外側の部分に外縁部６５ａを有する。例えば、外縁部６５ａは、カバー６０から天井９０の取付面９１へ向けて延在するように形成される、言い換えると、上方へ向けて延びるように形成される。
【０１４９】
詳しくは、化粧枠部６５の外縁部６５ａは、カバー６０から取付面９１へ向けて延在しつつ側面視で外側に傾斜するように形成される。また、外縁部６５ａは、側面視で外側に突出するように湾曲して形成される。
【０１５０】
化粧枠部６５は、上記のように形成されることで、第２発光部５０から出射された間接光や、テーパ部２２ｂで反射された間接光を効率良く受けて透光することが可能になる。これにより、化粧枠部６５が明るくなって、間接光に広がりをより持たせることができ、照明装置１Ｆの間接光による演出効果などをより一層向上させることができる。
【０１５１】
なお、外縁部６５ａを含め化粧枠部６５の形状は、上記に限定されるものではなく、例えば、外縁部６５ａが湾曲しないテーパ状などその他の形状であってもよい。
【０１５２】
また、上記したように、本実施形態にあっては、第１発光部４１や第２発光部５０、すなわち発光部４０は、平面視で筐体２０と向かい合う本体部３０の中央部分よりも外縁部３３側に設けられていることから、発光部４０は筐体２０および取付面９１と離間して配置されることとなる。このため、本実施形態に係る照明装置１Ｆにあっては、発光部４０の放熱性能と、第２発光部５０による取付面９１の明るさの確保とを両立させることが可能となる。
【０１５３】
次に、プロジェクタ７０、レンズ部材７２および遮光部８０について詳説する。プロジェクタ７０は、映像を出力して内面６３側（背面側）からカバー６０に投映する。なお、プロジェクタ７０は、例えば映像に連動した音声を出力するスピーカなどを具備していてもよい。
【０１５４】
レンズ部材７２は、プロジェクタ７０の映像光路に設けられ、プロジェクタ７０から出力された映像を拡散して出射する。例えば、レンズ部材７２は、本体部３０の平坦部３１に形成された開口３１ａに挿通され、出射面７２ａがカバー６０の内面６３を向くようにして配置される。レンズ部材７２としては、魚眼レンズを用いることができるが、これに限られず、例えば広角レンズなどその他の種類のレンズを用いてもよい。
【０１５５】
また、レンズ部材７２は、プロジェクタ７０に直接取り付けられてもよいし、例えば本体部３０に取り付けられてもよく、要はプロジェクタ７０の映像光路に設けられていればよい。
【０１５６】
遮光部８０は、レンズ部材７２付近に配置され、レンズ部材７２から出射された映像の一部を遮光する。これにより、カバー６０には、遮光部８０によって遮光された映像が投映され、よってプロジェクタ７０から出力された映像をカバー６０に適切に投映することができる。
【０１５７】
遮光部８０は、遮光性を有する樹脂材料や金属材料から構成される。なお、遮光部８０は、拡散映像の一部を遮光できればよいため、全体が遮光性を有する必要はなく、全体のうち少なくとも一部が遮光性を有する構成であってもよい。
【０１５８】
遮光部８０は、例えば、開口８０ａを有する円筒状に形成され、その内部にレンズ部材７２が配置される。そして、開口８０ａは、レンズ部材７２から出射された映像（すなわち拡散映像）が通過する。
【０１５９】
ここで、遮光部８０の形状である円筒状は、カバー６０の形状に対応した形状である。すなわち、カバー６０は平面視で円形状に形成されることから、遮光部８０は、カバー６０の形状に対応する円筒状に形成される。
【０１６０】
これにより、平面視で円形状のカバー６０に対し、遮光部８０によって外形が円形状に遮光された遮光映像が投映されることとなる。このように、カバー６０の形状と、遮光部８０によって遮光された遮光映像の形状とを類似させることで、カバー６０に投映された映像（遮光映像）のデザイン性や視認性を向上させることができる。
【０１６１】
なお、上記では、カバー６０が円形状であるため、遮光部８０が円筒状に形成されるが、これに限定されるものではない。すなわち、例えば、カバー６０が平面視で矩形状の場合は遮光部８０が角筒状に形成され、また、カバー６０が平面視で楕円形状の場合は遮光部８０が楕円筒状に形成されるなど、遮光部８０は、カバー６０の形状に対応する形状に形成されてもよい。これにより、カバー６０の形状と遮光映像の形状とが類似して、カバー６０に投映された映像のデザイン性等を向上させることができることは既に述べた通りである。
【０１６２】
また、遮光部８０は、開口８０ａが、レンズ部材７２の出射面７２ａを含む平面（例えば出射面７２ａを含む水平面（ＸＹ平面））よりカバー６０側（すなわち下方）に位置するように設けられる。これにより、遮光部８０は、レンズ部材７２の出射面７２ａから出射された拡散映像の一部を確実に遮光することができる。
【０１６３】
遮光部８０は、開口８０ａが、第１発光部４１の発光面４１ａを含む平面（例えば発光面４１ａを含む水平面（ＸＹ平面））よりレンズ部材７２側に位置するように設けられる。これにより、例えば、第１発光部４１の発光面４１ａから光が出射されて、室内を照明するような場合に、発光面４１ａからの光が遮光部８０に当たって、第１発光部４１の光が不要に遮光してしまうことを抑制することができる。
【０１６４】
なお、上記では、遮光部８０は、開口８０ａが、第１発光部４１の発光面４１ａを含む平面よりレンズ部材７２側に位置するように設けられるようにしたが、これに限定されるものではなく、開口８０ａが発光面４１ａを含む平面と同一平面上に位置するように設けられてもよい。
【０１６５】
ここで、第１発光部４１は、上記したように、プロジェクタ７０から映像がカバー６０に投映されたときに発光してもよい。例えば、第１発光部４１は、カバー６０に投映された映像の周囲を、映像に対応する色彩で照明するなどして、映像の演出効果を向上させることができる。
【０１６６】
また、プロジェクタ７０から映像がカバー６０に投映されたとき、第１発光部４１は、カバー６０のうち、遮光部８０よる遮光によって映像が投映されない部位を含む領域に向けて発光してもよい。
【０１６７】
これにより、遮光部８０によって遮光されて暗くなった部位などを照明することができ、よって遮光部８０の遮光による影響を低減させることができる。
【０１６８】
ここで、レンズ部材７２の出射面７２ａからカバー６０の内面６３までの距離、すなわちレンズ部材７２とカバー６０との間の距離ｂは、例えば、映像が投映されるカバー６０の大きさ、プロジェクタ７０やレンズ部材７２の焦点距離などに基づいて任意の値に設定することができる。具体的には、カバー６０と向かい合う化粧枠部６５の直径、すなわち、カバー６０の外径ａ＝６００ｍｍのとき、プロジェクタ７０の焦点距離を１５ｍｍとし、距離ｂを９０ｍｍ以上１１０ｍｍ以下とし、レンズ部材７２の倍率を０．１４以上０．１８以下とすることができる。また、外径ａ＝４７０ｍｍのとき、プロジェクタ７０の焦点距離を１５ｍｍとし、距離ｂを７０ｍｍ以上９０ｍｍ以下とし、レンズ部材７２の倍率を０．１４以上０．１８以下とすることができる。このように外径ａおよび距離ｂを含む各値をそれぞれ規定することにより、例えば、カバー６０全体に映像を表示することが可能となる。ただし、かかる値に制限されないことはいうまでもない。例えば、カバー６０の外径ａは、上記した寸法の±６５ｍｍの範囲のものが適用可能である。また、プロジェクタ７０の焦点距離は、上記した１５ｍｍの±１２％〜１８％を許容範囲とすることができる。さらに、例えば、プロジェクタ７０の焦点距離が比較的短い（例えば、４ｍｍ程度）短焦点レンズを使用する場合、レンズ部材７２の倍率は上記した範囲とは異なる値とすることができる。
【０１６９】
このように、実施形態に係るカバー６０は、全光線透過率が３０％以上８０％以下の透光性の部材で形成される。これにより、ユーザは、照明装置との位置関係にかかわらずカバーに投映された映像を視認することができ、付加価値の高い照明装置を提供することができる。
【０１７０】
ところで、上記した実施形態では、第２発光部５０は、凹部３２の第２壁面３２ｃに設けられたが、これに限らず、例えば、凹部３２の第２壁面３２ａに第２発光部５０を設け、発光面５０ａが本体部３０の中心側から外縁側へ向くようにしてもよい。かかる場合、例えば第２壁面３２ｃの一部に透光部を設けると、第２発光部５０からの光を第２壁面３２ｃの透光部を介して化粧枠６５へ効率よく照射できる。さらに、化粧枠６５と天井９０の取付面９１との間に形成される空間まで効率よく照射することができる。
【０１７１】
また、上記した実施形態では、遮光部８０は、カバー６０の形状に対応する形状に形成されるようにしたが、これに限定されるものではなく、カバー６０の形状に対して非対応の形状に形成されてもよい。
【０１７２】
また、筐体２０の形状は、図１０で示したものに限られない。例えば、筐体２０において、上記した実施形態では、テーパ部２２ｂは、側面部２２のうち上方に形成されるようにしたが、側面部２２の下方に形成されてもよい。また、筐体２０は、側面部２２がテーパ部２２ｂを有さず、円筒部２２ａのみで構成されていてもよい。
【０１７３】
［照明システム］
続いて、図１５を用いて実施形態に係る照明システムの構成例について説明する。図１５は、実施形態に係る照明システムの概要を示す図である。
【０１７４】
図１５に示す照明システム３００は、照明装置１Ｇと検出装置１９０とを具備する。検出装置１９０は、ユーザ３１０のジェスチャーから動作情報を検出する。検出装置１９０は、いわゆるジェスチャーセンサ、モーションセンサ、加速度センサなどの各種センサであってもよく、ユーザ３１０の動作を撮像する撮像装置であってもよい。また、検出装置１９０は、上記した各種センサおよび撮像装置を組み合わせたものであってもよい。
【０１７５】
照明装置１Ｇと検出装置１９０とは無線または有線により接続されている。照明装置１Ｇは、例えば図１０に示す照明装置１Ｆである。照明装置１Ｇは、検出装置１９０により検出された動作情報に基づいて制御部の一例である第１電源部１００および第２電源部１０５を動作させて光源部（発光部４０）およびプロジェクタ７０を制御する。このため、例えばリモートコントローラの操作や音声入力による操作が困難なユーザ３１０であっても、発光部４０やプロジェクタ７０の切り替え等の操作を行うことができる。
【０１７６】
なお、図１５に示す照明システム３００では、検出装置１９０が照明装置１Ｇとは別体であるとして説明したが、これに限らず、例えば検出装置１９０に相当する機能を有する検出部を照明装置１Ｇが具備してもよい。また、図１５に示す照明装置１Ｇとして、照明装置１、１Ａ〜１Ｅを適用してもよい。
【０１７７】
ところで、上記した各実施形態では、照明装置１、１Ａ〜１Ｇが部屋の天井９０に取り付けられる場合について説明したが、照明装置１、１Ａ〜１Ｇを部屋の側壁に取り付けることにしてもよい。
【０１７８】
また、上記した各実施形態では、照明装置１、１Ａ〜１Ｇが平面視で円形状のシーリングライトであるとして説明したが、矩形状や楕円形状などその他の形状であってもよい。例えば、照明装置１、１Ａ〜１Ｇは、開口を有する平面視で矩形状の筐体を有し、開口を挟むように設置された複数列の発光素子を有する照明装置であってもよい。
【０１７９】
また、上述した各実施形態では、照明装置１、１Ａ〜１Ｇが１つのプロジェクタ７０を具備する場合について説明したが、複数のプロジェクタ７０を具備することにしてもよい。
【０１８０】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【０１８１】
１、１Ａ〜１Ｇ  照明装置
２０  筐体
３０  本体部
４０  発光部
４１、４４  第１発光部
４７、５０  第２発光部
６０  カバー
７０  プロジェクタ
７２  レンズ部材
１９０  検出装置
３００  照明システム
【図１】
2020027794.tif 000003
【図２】
2020027794.tif 000004
【図３】
2020027794.tif 000005
【図４】
2020027794.tif 000006
【図５】
2020027794.tif 000007
【図６】
2020027794.tif 000008
【図７】
2020027794.tif 000009
【図８】
2020027794.tif 000010
【図９】
2020027794.tif 000011
【図１０】
2020027794.tif 000012
【図１１】
2020027794.tif 000013
【図１２】
2020027794.tif 000014
【図１３】
2020027794.tif 000015
【図１４】
2020027794.tif 000016
【図１５】
2020027794.tif 000017